(57)【要約】【課題】携帯通信端末は、比較的小さな筺体内に比較的多数の電子部品等を内蔵しているため、内蔵アンテナの配置位置が制約を受ける場合が多い。このことにより、携帯通信端末が充電器にセットされる状態において、携帯通信端末の内蔵アンテナと充電器内の配線とが、互いに近接する位置関係にならざるを得ない場合がある。そして、このような携帯通信端末では、携帯通信端末が充電器にセットされる状態において、内蔵アンテナに近接する充電器内の配線との相互作用に起因して、その通信における送受信効率が低下することとなる。【解決手段】携帯通信端末は、充電器にセットされる状態において、充電器内の配線をアンテナの一部として利用する。【選択図】図７
2013030876.tif 000002
【特許請求の範囲】
【請求項１】
充電器にセットして内蔵電池を充電することが可能な携帯通信端末であって、
携帯通信端末を充電器にセットした状態において、充電器側の一対の給電端子に対向するように設けられた一対の受電端子と、
受電端子から内蔵電池までの間に配線された充電電流供給路と、
内蔵電池によって駆動される送受信回路と、
前記送受信回路と接続された内蔵アンテナと、
を備え、
前記内蔵アンテナの一端が一対の受電端子の一つと接続され、充電電流供給路にはフィルタが挿入されている
ことを特徴とする携帯通信端末。
【請求項２】
自端末が充電器にセットされているか否かを検知する検知回路を備え、
前記送受信回路は、前記検知回路が前記自端末の前記充電器へのセットを検知していない場合に、前記内蔵アンテナとの接続部における入力インピーダンスを、携帯通信端末が充電器にセットされていない状態に整合させ、前記検知回路が前記自端末の前記充電器へのセットを検知した場合に、前記内蔵アンテナとの接続部における入力インピーダンスを、携帯通信端末が充電器にセットされている状態に整合させる整合切替回路を有する
ことを特徴とする請求項１記載の携帯通信端末。
【請求項３】
携帯通信端末を充電器にセットしていない状態における、内蔵アンテナの電気長と、携帯通信端末を充電器にセットしている状態における、実質的に拡大される内蔵アンテナの電気長とは、それぞれ、前記送受信回路の送受信周波数帯用の長さである
ことを特徴とする請求項１記載の携帯通信端末。
【請求項４】
前記内蔵アンテナは、モノポールアンテナであり、
携帯通信端末を充電器にセットしていない状態における、内蔵アンテナの電気長は、前記送受信回路の送受信周波数帯における電磁波の波長の略４分の１であり、
携帯通信端末を充電器にセットしている状態における、実質的に拡大される内蔵アンテナの電気長は、前記送受信回路の送受信周波数帯における電磁波の波長の略４分の３である
ことを特徴とする請求項３記載の携帯通信端末。
【請求項５】
一対の受電端子と、送受信回路と、当該送受信回路に接続された内蔵アンテナとを備え、当該内蔵アンテナの一端が一対の受電端子の一つと接続される携帯通信端末をセットして、携帯通信端末に充電用電流を供給する充電器であって、
携帯通信端末を充電器にセットした状態において、携帯通信端末側の一対の受電端子に対向するように設けられた一対の給電端子と、
前記内蔵アンテナの一端が接続される受電端子に対向する給電端子に一端が接続され、前記充電用電流を流すための充電用配線と、
を備え、
前記充電用配線にはフィルタが挿入され、携帯通信端末を充電器にセットした状態において、前記充電用配線が前記内蔵アンテナと接続されて、実質的に拡大される内蔵アンテナのアンテナ長が、所定のアンテナ長となる構成とされている
ことを特徴とする充電器。
【請求項６】
充電器と、充電器にセットして内蔵電池を充電することが可能な携帯通信端末とからなる通信システムであって、
携帯通信端末は、
携帯通信端末を充電器にセットした状態において、充電器側の一対の給電端子に対向するように設けられた一対の受電端子と、
受電端子から内蔵電池までの間に配線された充電電流供給路と、
内蔵電池によって駆動される送受信回路と、
前記送受信回路と接続され、さらに、一端が一対の受電端子の一つと接続された内蔵アンテナと、
を備え、
充電電流供給路には第１のフィルタが挿入され、
充電器は、
携帯通信端末を充電器にセットした状態において、携帯通信端末側の一対の受電端子に対向するように設けられた一対の給電端子と、
前記内蔵アンテナの一端が接続される受電端子に対向する給電端子に一端が接続され、携帯通信端末に供給する充電用電流を流すための充電用配線と、
を備え、
前記充電用配線には第２のフィルタが挿入され、携帯通信端末を充電器にセットした状態において、前記充電用配線が前記内蔵アンテナと接続されて、実質的に拡大される内蔵アンテナのアンテナ長が、所定のアンテナ長となる構成とされている
ことを特徴とする通信システム。
【発明の詳細な説明】
【技術分野】
【０００１】
本発明は、充電器に接続する携帯通信端末についての技術に関する。
【背景技術】
【０００２】
従来、例えば、特許文献１に記載されているように、外部の充電器にセットされる状態において、その充電器から供給される電流によって、内蔵する２次電池を充電する携帯通信端末が知られている。
【先行技術文献】
【特許文献】
【０００３】
【特許文献１】特開２０００−１０１６９３号公報
【発明の概要】
【発明が解決しようとする課題】
【０００４】
一般に、携帯通信端末は、内蔵アンテナの近傍に金属が近づけられると、その内蔵アンテナを用いて行う通信に利用する電磁波とその金属との相互作用に起因して、通信における送受信効率が低下する。
携帯通信端末は、比較的小さな筺体内に比較的多数の電子部品等を内蔵しているため、内蔵アンテナの配置位置が制約を受ける場合が多い。このことにより、携帯通信端末が充電器にセットされる状態において、携帯通信端末の内蔵アンテナと充電器内の配線とが、互いに近接する位置関係にならざるを得ない場合がある。このような携帯通信端末では、携帯通信端末が充電器にセットされる状態において、内蔵アンテナに近接する充電器内の配線との相互作用に起因して、その通信における送受信効率が低下することとなる。
【０００５】
そこで、本発明は係る問題に鑑みてなされたものであり、携帯通信端末が充電器にセットされる状態において、内蔵アンテナと充電器内部の配線とが、互いに近接する位置関係になったとしても、従来よりも、通信における送受信効率の低下が起こりにくくなる携帯通信端末を提供することを目的とする。
【課題を解決するための手段】
【０００６】
上記課題を解決するために本発明に係る携帯通信端末は、充電器にセットして内蔵電池を充電することが可能な携帯通信端末であって、携帯通信端末を充電器にセットした状態において、充電器側の一対の給電端子に対向するように設けられた一対の受電端子と、受電端子から内蔵電池までの間に配線された充電電流供給路と、内蔵電池によって駆動される送受信回路と、前記送受信回路と接続された内蔵アンテナと、を備え、前記内蔵アンテナの一端が一対の受電端子の一つと接続され、充電電流供給路にはフィルタが挿入されていることを特徴とする。
【発明の効果】
【０００７】
本発明によれば、携帯通信端末が充電器にセットされる状態において、内蔵アンテナと充電器内部の配線とが、互いに近接する位置関係になったとしても、従来よりも、通信における送受信効率の低下が起こりにくくなる携帯通信端末を提供することができる。
【図面の簡単な説明】
【０００８】
【図１】（ａ）携帯電話機１００の斜視図、（ｂ）携帯電話機１００内部の主要構造物の斜視図
【図２】（ａ）携帯電話機１００下部の側面断面図、（ｂ）筐体２０１内壁に接着されているＢＴ用アンテナ２１０を示す正面図
【図３】携帯電話機１００の主要な構成要素の接続関係を示す回路図
【図４】ＢＴ用ＬＳＩ１２２の主要な回路構成を示す回路図
【図５】充電器５００の斜視図
【図６】（ａ）挿入孔５１１内部の斜視図、（ｂ）基板６５０の斜視図
【図７】充電器５００の主要な構成要素の接続関係を示す回路図
【図８】接続処理のフローチャート
【図９】分離処理のフローチャート
【発明を実施するための形態】
【０００９】
＜実施の形態＞
＜全体構成＞
以下、本発明に係る携帯通信端末の一実施形態として、外部のブルートゥース（Bluetooth）対応機器と無線通信する機能を有し、外部の充電器５００に物理的に接続（セット）されることで内蔵する電池を充電する携帯電話機１００について説明する。
【００１０】
この携帯電話機１００は、ブルートゥース用アンテナ（以下、「ＢＴ（BlueTooth）用アンテナ」と呼ぶ。）を内蔵し、外部の充電器５００にセットされていない状態では、このＢＴ用アンテナを外部のブルートゥース対応機器との通信に用いるアンテナとして利用し、充電器５００にセットされている状態では、充電器５００の内部配線の一部とＢＴ用アンテナとからなる導体部分を、外部のブルートゥース対応機器との通信に用いるアンテナとして利用する。
【００１１】
以下、携帯電話機１００と充電器５００との構成の詳細について、図面を参照しながら説明する。
＜詳細構成＞
＜携帯電話機１００＞
図１（ａ）は、携帯電話機１００の斜視図であり、図１（ｂ）は、携帯電話機１００内部の主要構成物の斜視図である。
【００１２】
図１（ａ）に示されるように、携帯電話機１００は、その主表面に、複数の入力キーからなる入力キー群１０１、ディスプレイ１０２、スピーカ孔１０３、レシーバ孔１０４を備え、その下部側面に陽極受電端子孔１１１と陰極受電端子孔１１２とを備える。
また、図１（ｂ）に示されるように、携帯電話機１００は、筐体内部に、基板１２０と電池１３０とアンテナ構体１４０とを内蔵している。
【００１３】
電池１３０は、例えば、リチウムイオン２次電池であって、携帯電話機１００を構成する電子部品に電力を供給する。但し、携帯電話機１００が充電器５００にセットされている状態においては、携帯電話機１００を構成する電子部品は、充電器５００から電力が供給される。
アンテナ構体１４０は、携帯電話機１００が外部の基地局と行う通信に利用する２ＧＨｚ帯の信号を送受信するための通話用アンテナ１４１を備える構造体である。
【００１４】
通話用アンテナ１４１は、外部の基地局との通信に利用する２ＧＨｚ帯の電磁波の波長の１／４となる長さ（約３７．５ｍｍ）の電気長を有するモノポールアンテナであって、Ｌ字型の金属製（例えば銅製）薄膜からなり、アンテナ構体１４０の表面に接着されている。
基板１２０は、電子部品等を装着するプリント基板であって、表面に、システムＬＳＩ（Large Scale Integration）１２１とＢＴ用ＬＳＩ１２２と充電ＩＣ（Integrated Circuit）１２３とインダクタ１２４と磁気センサ１２５と通話用ＬＳＩ１２６と陽極受電端子１５０と陰極受電端子１６０と第１スプリングピン１２７と第２スプリングピン１２８とが装着されている。
【００１５】
陽極受電端子１５０は、電池１３０の充電のために携帯電話機１００が充電器５００にセットされる場合において、充電器からの直流の電流供給を受ける陰陽１対の端子のうちの陽極側端子であって、金属製（例えばステンレス製）薄膜からなり、携帯電話機の下部側面の陽極受電端子孔１１１に対向する位置に装着されている。
陰極受電端子１６０は、電池１３０の充電のために携帯電話機１００が充電器５００にセットされる場合において、充電器からの直流の電流供給を受ける陰陽１対の端子のうちの陰極側端子であって、金属製（例えばステンレス製）薄膜からなり、携帯電話機の下部側面の陰極受電端子孔１１２に対向する位置に装着されている。
【００１６】
第１スプリングピン１２７と第２スプリングピン１２８とは、それぞれ、先端がバネで伸縮する可動型プローブピンであって、導電性を有し、基板１２０が携帯電話機１００の筐体に内蔵された状態において、筐体の内面に接着された、Ｌ字型の金属製（例えば銅製）薄膜からなるＢＴ用アンテナ２１０（図１には図示されず。詳細については後述。）に接触している状態となる。
【００１７】
図２（ａ）は、第１スプリングピン１２７と第２スプリングピン１２８とのそれぞれが、携帯電話機１００の筐体の内面に接着されたＢＴ用アンテナ２１０に接触していることを示す、携帯電話機１００を側面から見た場合における断面図である。そして、図２（ｂ）は、第１スプリングピン１２７と第２スプリングピン１２８とのそれぞれが、ＢＴ用アンテナ２１０と接触していることを示す、携帯電話機１００の主表面から見た場合における正面図であって、実際には携帯電話機１００の外部から視認することができない、第１スプリングピン１２７と第２スプリングピン１２８とＢＴ用アンテナ２１０とが、仮想的に携帯電話機１００の外部から視認することができるものとして表現されているものである。
【００１８】
ＢＴ用アンテナ２１０は、ブルートゥース規格に準拠する通信に利用する２．４ＧＨｚ帯電磁波の信号を送受信するためのモノポールアンテナであって、２．４ＧＨｚ帯の電磁波の波長の１／４となる長さ（約３１．２ｍｍ）の電気長を有し、筐体２０１の内面に接着され、第１スプリングピン１２７と第２スプリングピン１２８とに接続される。
図３は、携帯電話機１００の主要な構成要素の接続関係を示す回路図である。
【００１９】
同図に示されるように、携帯電話機１００は、入力キー群１０１とディスプレイ１０２とシステムＬＳＩ１２１とＢＴ用ＬＳＩ１２２と充電ＩＣ１２３とインダクタ１２４と磁気センサ１２５と通話用ＬＳＩ１２６と電池１３０と通話用アンテナ１４１と陽極受電端子１５０と陰極受電端子１６０とＢＴ用アンテナ２１０とメモリ３１０とスピーカ３２０とレシーバ３３０とから構成され、さらに、システムＬＳＩ１２１は、内部にプロセッサ３００を含んでいる。
【００２０】
入力キー群１０１は、システムＬＳＩ１２１に接続され、プロセッサ３００によって制御され、ユーザからのキー操作を受け付ける機能と、受け付けたキー操作を電気信号に変換してプロセッサ３００に送る機能とを有する。
ディスプレイ１０２は、例えば液晶ディスプレイであり、システムＬＳＩ１２１に接続され、プロセッサ３００によって制御され、画像、文字列等を表示する機能を有する。
【００２１】
磁気センサ１２５は、システムＬＳＩ１２１に接続され、プロセッサ３００によって制御され、磁気を検知する機能と、磁気を検知している期間に、磁気を検知している旨の信号を、プロセッサ３００に送る機能とを有する。
スピーカ３２０は、システムＬＳＩ１２１に接続され、プロセッサ３００によって制御され、システムＬＳＩ１２１から送られて来た電気信号を音声に変換して出力する。
【００２２】
出力された音声は、スピーカ孔１０３を通って、携帯電話機１００の外部へ伝播される。
レシーバ３３０は、システムＬＳＩ１２１に接続され、プロセッサ３００によって制御され、レシーバ孔１０４を通って入力される音声を電気信号に変換し、変換した電気信号をプロセッサ３００に送る。
【００２３】
陽極受電端子１５０は、インダクタ１２４とＢＴ用アンテナ２１０とに接続され、陰極受電端子１６０は、充電ＩＣ１２３に接続される。
インダクタ１２４は、例えば、５０ｎＨのコイルであって、陽極受電端子１５０と充電ＩＣ１２３とに接続され、２．４ＧＨｚ帯の信号を減衰させる。
電池１３０は、充電ＩＣ１２３に接続される。
【００２４】
充電ＩＣ１２３は、インダクタ１２４と陰極受電端子１６０と電池１３０とに接続され、携帯電話機１００に外部の充電器がセットされる場合に、陽極受電端子１５０と陰極受電端子１６０とを介して充電器から供給される直流電流を用いて、電池１３０を充電する機能を有する。
メモリ３１０は、ＲＡＭ（Random Access Memory）とＲＯＭ（Read Only Memory）と不揮発性メモリとから構成され、システムＬＳＩ１２１に接続され、プロセッサ３００の動作を規定するプログラムと、プロセッサ３００が利用するデータとを記憶する。
【００２５】
通話用アンテナ１４１は、通話用ＬＳＩ１２６に接続される。
通話用ＬＳＩ１２６は、システムＬＳＩ１２１と通話用アンテナ１４１とに接続され、プロセッサ３００によって制御され、通話用アンテナ１４１を用いて、２ＧＨｚ帯の電磁波を利用して外部の基地局と通信する機能を有する。
ＢＴ用アンテナ２１０は、ＢＴ用ＬＳＩ１２２と陽極受電端子１５０とに接続される。
【００２６】
ＢＴ用ＬＳＩ１２２は、ＢＴ用アンテナ２１０とシステムＬＳＩ１２１とに接続され、プロセッサ３００によって制御され、以下の２つの機能を有する。
機能１：ＢＴ用アンテナ２１０、又は拡大アンテナ７００（後述）を用いて、２．４ＧＨｚ帯の電磁波を利用して外部のブルートゥース対応機器と通信する機能。
機能２：ＢＴ用アンテナ２１０との接続部における入力インピーダンスを、（１）ＢＴ用アンテナ２１０に整合している状態と（２）拡大アンテナ７００に整合している状態とのいずれか一方に切り替える機能。
【００２７】
図４は、ＢＴ用ＬＳＩ１２２の主要な回路構成を示す回路図である。
同図に示されるように、ＢＴ用ＬＳＩ１２２は、整合回路４１０とインピーダンス切替回路４２０と送受信切替スイッチ４３０と受信回路４４０と復調回路４５０と送信回路４６０と変調回路４７０とから構成される。
整合回路４１０は、ＢＴ用アンテナ２１０とインピーダンス切替回路４２０と送受信切替スイッチ４３０とに接続され、第１キャパシタ４１１と第１インダクタ４１２と第２キャパシタ４１３とから構成され、ＢＴ用アンテナ２１０との接続部における入力インピーダンスを調整する機能を有する。
【００２８】
ここで、第１キャパシタ４１１のキャパシタンス値と第１インダクタ４１２のインダクタンス値と第２キャパシタ４１３のキャパシタンス値とのそれぞれは、インピーダンス切替回路４２０のスイッチ４２１（後述）がオフ状態の場合に、ＢＴ用アンテナ２１０との接続部における入力インピーダンスが、ＢＴ用アンテナ２１０に整合している状態となるように定められている。
【００２９】
インピーダンス切替回路４２０は、整合回路４１０とシステムＬＳＩ１２１とに接続され、プロセッサ３００によって制御され、スイッチ４２１と第２インダクタ４２２と第３キャパシタ４２３とから構成され、スイッチ４２１が（１）オンの状態と、（２）オフの状態とを切り替えられることで、ＢＴ用アンテナ２１０との接続部における入力インピーダンスを、（１）ＢＴ用アンテナ２１０に整合している状態と（２）拡大アンテナ７００に整合している状態とのいずれか一方に切り替える機能を有する。
【００３０】
また、このインピーダンス切替回路４２０は、携帯電話機１００の起動時に、プロセッサ３００によって、スイッチ４２１がオンの状態となるように制御される。
ここで、第２インダクタ４２２のインダクタンス値と第３キャパシタ４２３のキャパシタンス値とのそれぞれは、スイッチ４２１がオン状態の場合に、ＢＴ用アンテナ２１０との接続部における入力インピーダンスが、拡大アンテナ７００に整合している状態となるように定められている。
【００３１】
送受信切替スイッチ４３０は、整合回路４１０と受信回路４４０と送信回路４６０とに接続され、送信回路４６０からの送信経路と、受信回路４４０への受信経路とを時分割で切り替える機能を有する。
受信回路４４０は、送受信切替スイッチ４３０と復調回路４５０とに接続され、外部のブルートゥース対応機器から送信される２．４ＧＨｚ帯の信号を受信する機能と、受信信号を復調回路４５０に送る機能とを有する。
【００３２】
復調回路４５０は、受信回路４４０とシステムＬＳＩ１２１とに接続され、受信回路４４０から送られてきた受信信号を復調する機能と、復調した信号をプロセッサ３００に送る機能とを有する。
変調回路４７０は、送信回路４６０とシステムＬＳＩ１２１とに接続され、プロセッサから送られてきた信号を、２．４ＧＨｚ帯の信号に変調する機能と、変調した信号を送信回路４６０に送る機能とを有する。
【００３３】
送信回路４６０は、送受信切替スイッチ４３０と変調回路４７０とに接続され、変調回路４７０から送られてきた信号を、外部のブルートゥース対応機器へ送信する機能を有する。
再び図３に戻って、携帯電話機１００の主要な構成要素の説明を続ける。
システムＬＳＩ１２１は、入力キー群１０１とディスプレイ１０２とＢＴ用ＬＳＩ１２２と磁気センサ１２５と通話用ＬＳＩ１２６とメモリ３１０とスピーカ３２０とレシーバ３３０とに接続され、内蔵するプロセッサ３００が、メモリ３１０に記憶されているプログラムを実行することで、入力キー群１０１とディスプレイ１０２とＢＴ用ＬＳＩ１２２と磁気センサ１２５と通話用ＬＳＩ１２６とメモリ３１０とスピーカ３２０とレシーバ３３０とを制御して、携帯電話機１００に様々な機能を実現させる機能を有する。
【００３４】
ここで、携帯電話機１００の実現する機能には、一般的なブルートゥース対応携帯電話機の有する機能（例えば、通話機能、インターネットブラウジング機能、ブルートゥース対応機器との通信機能等）に加えて、（１）磁気センサ１２５が磁気を検知している期間、スイッチ４２１をオン状態とし、磁気センサ１２５が磁気を検知していない期間、スイッチ４２１をオフ状態とする機能、（２）携帯電話機１００の起動時に、スイッチ４２１をオン状態とする機能等がある。
【００３５】
＜充電器５００＞
図５は、携帯電話機１００にセットされて利用される充電器５００の斜視図である。
同図に示されるように、充電器５００は、充電器本体５１０とコード５２０とＡＣプラグ５３０とから構成される。そして、ＡＣプラグ５３０が家庭用電源コンセントに挿入された状態において、携帯電話機１００の下部が充電器本体５１０の挿入孔５１１（後述）に挿入される（セットされる）ことで、携帯電話機１００に、電池１３０を充電するための直流電流を供給する。
【００３６】
充電器本体５１０は、略直方体の形状で、主表面には、携帯電話機１００の下部が挿入される挿入孔５１１が開いており、マグネット５１２と基板６５０（図５中には図示せず、後述）とを内蔵している。
マグネット５１２は、挿入孔５１１の側面の位置に内蔵されている磁石であって、携帯電話機１００が挿入孔５１１に挿入されている状態において、磁気センサ１２５に近接する状態となる。
【００３７】
図６（ａ）は、挿入孔５１１内部の斜視図である。
同図に示されるように、挿入孔５１１は、略直方体の孔であって、底面には、さらに、陽極給電端子孔６１０と陰極給電端子孔６２０とが開いている。
陽極給電端子孔６１０は、携帯電話機１００が挿入孔５１１に挿入された状態において、陽極受電端子孔１１１と対向する位置に開けられた略長方形の孔であって、挿入孔５１１の底面よりも下部に内蔵されている基板６５０（後述）に装着されている略直方体の形をした金属製（例えばステンレス製）の突起状陽極給電端子６３０が突き出ている。
【００３８】
陰極給電端子孔６２０は、携帯電話機１００が挿入孔５１１に挿入された状態において、陰極受電端子孔１１２と対向する位置に開けられた略長方形の孔であって、挿入孔５１１の底面よりも下部に配置されている基板６５０（後述）に装着されている略直方体の形をした金属製（例えばステンレス製）の突起状陰極給電端子６４０が突き出ている。
携帯電話機１００が挿入孔５１１に挿入されている状態、すなわち、携帯電話機１００を充電器５００にセットしている状態では、突起状陽極給電端子６３０が陽極受電端子１５０に接触状態となり、突起状陰極給電端子６４０が陰極受電端子１６０に接触状態となる。
【００３９】
図６（ｂ）は、充電器５００の、挿入孔５１１の底面よりも下部の位置に内蔵されている基板６５０の斜視図である。
同図に示されるように、基板６５０は、電子部品等を装着するプリント基板であって、主表面に、突起状陽極給電端子６３０と突起状陰極給電端子６４０と配線６６０とインダクタ６７０と電源ＩＣ６８０とが装着されている。
【００４０】
図７は、携帯電話機１００をセットしている状態における、充電器５００の主要な構成要素の接続関係を示す回路図である。
同図に示されるように、充電器５００は、コード５２０とＡＣプラグ５３０と突起状陽極給電端子６３０と突起状陰極給電端子６４０と電源ＩＣ６８０と配線６６０とインダクタ６７０とから構成されている。
【００４１】
電源ＩＣ６８０は、コード５２０と突起状陰極給電端子６４０とインダクタ６７０とに接続され、ＡＣプラグ５３０とコード５２０とを介して家庭用コンセントから供給される１００Ｖの交流電流を、４．２Ｖの直流電流に変換して出力する機能を有する。
電源ＩＣ６８０は、ＡＣプラグ５３０が家庭用電源コンセントに挿入されている状態において、電位差が４．２Ｖとなる直流定電圧源として動作する。
【００４２】
インダクタ６７０は、例えば、５０ｎＨのコイルであって、電源ＩＣ６８０と配線６６０とに接続され、２．４ＧＨｚ帯の信号を減衰させる機能を有する。ここで、電源ＩＣ６８０への接続は、直流電圧源としての陽極側端子への接続となっている。
突起状陰極給電端子６４０は、例えば略直方体の形をした金属製（例えばステンレス製）の電極であって、電源ＩＣ６８０に接続される。ここで、電源ＩＣ６８０への接続は、直流電圧源としての陰極側端子への接続となっている。
【００４３】
そして、突起状陰極給電端子６４０は、携帯電話機１００が充電器５００にセットされている状態において、さらに、陰極受電端子１６０に接続される。
突起状陽極給電端子６３０は、例えば略直方体の形をした金属製（例えばステンレス製）の電極であって、配線６６０に接続される。
そして、突起状陽極給電端子６３０は、携帯電話機１００が充電器５００にセットされている状態において、さらに、陽極受電端子１５０に接続される。
【００４４】
配線６６０は、基板６５０上に形成されたＬ字型の金属製（例えば銅製）薄膜からなり、インダクタ６７０と突起状陽極給電端子６３０とに接続され、２．４ＧＨｚ帯の電磁波の波長の１／２となる長さ（約６２．５ｍｍ）の電気長を有する。
＜拡大アンテナ７００＞
配線６６０と突起状陽極給電端子６３０と陽極受電端子１５０とＢＴ用アンテナ２１０とは、携帯電話機１００を充電器５００にセットしている状態において、互いに接続されることとなり、拡大アンテナ７００を形成する。
【００４５】
拡大アンテナ７００は、ブルートゥース規格に準拠する通信に利用する２．４ＧＨｚ帯電磁波の信号を送受信するためのモノポールアンテナであって、２．４ＧＨｚ帯の電磁波の波長の３／４となる長さ（約９３．７ｍｍ）の電気長を有し、ＢＴ用ＬＳＩ１２２とインダクタ１２４とインダクタ６７０とに接続される。
以下、図面を参照しながら、上記構成の携帯電話機１００と充電器５００との行う動作について説明する。
【００４６】
＜動作＞
ここでは、携帯電話機１００と充電器５００の行う動作のうち、特徴的な動作である、接続処理と分離処理とについて説明する。
＜接続処理＞
接続処理は、起動状態の携帯電話機１００が行う処理であって、充電器５００にセットされていない状態の、スイッチ４２１（図４参照）がオフ状態となっている携帯電話機１００が、挿入孔５１１に挿入されると、ＢＴ用ＬＳＩ１２２の入力インピーダンスを、（１）ＢＴ用アンテナ２１０に整合している状態から（２）拡大アンテナ７００に整合している状態へと切り替える処理である。
【００４７】
図８は、接続処理のフローチャートである。
接続処理は、充電器５００にセットされていない状態の、スイッチ４２１がオフ状態となっている携帯電話機１００が、挿入孔５１１に挿入されることで開始される。
携帯電話機１００が充電器５００にセットされていない状態において、スイッチ４２１がオフ状態となる場合の例としては、（１）充電器５００にセットされていない状態の携帯電話機１００が起動された場合、（２）充電器５００にセットされていた起動中の携帯電話機１００が、充電器５００から分離された場合（この場合に、スイッチ４２１がオフ状態となる動作については、後程＜分離処理＞の節で詳細に説明する。）等がある。
【００４８】
携帯電話機１００が挿入孔５１１に挿入されると、マグネット５１２（図５参照）と磁気センサ１２５とが互いに近接する状態となるため、磁気センサ１２５はマグネット５１２の磁気を検知する（ステップＳ８１０）。そして、磁気センサ１２５は、磁気を検知している旨の信号を、プロセッサ３００に送る。
プロセッサ３００は、磁気センサ１２５から磁気を検知している旨の信号を受けると、スイッチ４２１を制御して、オフ状態からオン状態に変更する（ステップＳ８２０）。
【００４９】
スイッチ４２１がオン状態に変更されると、ＢＴ用ＬＳＩ１２２の、ＢＴ用アンテナ２１０との接続部における入力インピーダンスが、（１）ＢＴ用アンテナ２１０に整合している状態から（２）拡大アンテナ７００に整合している状態へと切り替わる（ステップＳ８３０）。
ステップＳ８３０の処理が終了すると、携帯電話機１００は、その接続処理を終了する。
【００５０】
＜分離処理＞
分離処理は、起動状態の携帯電話機１００が行う処理であって、充電器５００にセットされている状態の、スイッチ４２１がオン状態となっている携帯電話機１００が、充電器５００から分離されると、ＢＴ用ＬＳＩ１２２の入力インピーダンスを、（１）拡大アンテナ７００に整合している状態から（２）ＢＴ用アンテナ２１０に整合している状態へと切り替える処理である。
【００５１】
図９は、分離処理のフローチャートである。
分離処理は、充電器５００にセットされている状態の、スイッチ４２１がオン状態となっている携帯電話機１００が、充電器４００から分離されることで開始される。
携帯電話機１００が充電器５００にセットされている状態において、スイッチ４２１がオン状態となる場合の例としては、上述の接続処理におけるステップＳ８３０の処理が実行された場合等がある。
【００５２】
携帯電話機１００が充電器５００から分離されると、マグネット５１２と磁気センサ１２５とが互いに近接する状態ではなくなるなるため、磁気センサ１２５はマグネット５１２の磁気を検知しなくなる（ステップＳ９１０）。そして、磁気センサ１２５は、プロセッサ３００に送っていた磁気を検知している旨の信号を、プロセッサ３００に送らなくなる。
【００５３】
プロセッサ３００は、磁気センサ１２５から磁気を検知している旨の信号が送られてこなくなると、スイッチ４２１を制御して、オン状態からオフ状態に変更する（ステップＳ９２０）。
スイッチ４２１がオフ状態に変更されると、ＢＴ用ＬＳＩ１２２の、ＢＴ用アンテナ２１０との接続部における入力インピーダンスが、（１）拡大アンテナ７００に整合している状態から（２）ＢＴ用アンテナ２１０に整合している状態へと切り替わる（ステップＳ９３０）。
【００５４】
ステップＳ９３０の処理が終了すると、携帯電話機１００は、その分離処理を終了する。
＜考察＞
携帯電話機１００は、充電器５００にセットされていない場合には、内蔵するＢＴ用アンテナ２１０を用いて外部のブルートゥース対応機器との通信を行う。この場合は、ＢＴ用ＬＳＩ１２２の、ＢＴ用アンテナ２１０との接続部における入力インピーダンスは、ＢＴ用アンテナ２１０に整合している状態となっている。
【００５５】
そして、携帯電話機１００が充電器５００にセットされると、配線６６０と突起状陽極給電端子６３０と陽極受電端子１５０とＢＴ用アンテナ２１０とからなる拡大アンテナ７００（図７参照）が形成され、ＢＴ用ＬＳＩ１２２の、ＢＴ用アンテナ２１０との接続部における入力インピーダンスは、拡大アンテナ７００に整合している状態となる。
よって、携帯電話機１００は、充電器５００に接続されている場合には、形成される拡大アンテナ７００を用いて外部のブルートゥース対応機器との通信を行うことができるようになる。
【００５６】
以上より、本実施形態の携帯通信端末は、充電器にセットされると、その充電器内部の配線をアンテナの一部として利用することとなる。このため、携帯通信端末が充電器にセットされる状態において、内蔵アンテナと充電器内部の配線とが、互いに近接する位置関係になったとしても、その充電器内部の配線は、通信における送受信効率を低下させない。
【００５７】
従って、この携帯通信端末によれば、携帯通信端末が充電器にセットされる状態において、内蔵アンテナと充電器内部の配線とが、互いに近接する位置関係になったとしても、従来よりも、通信における送受信効率の低下が起こりにくくなる。
＜補足＞
以上、本発明に係る携帯通信端末の一実施形態として、実施の形態において、携帯電話機１００を例として説明したが、以下のように変形することも可能であり、本発明は上述した実施の形態通りの携帯通信端末に限られないことはもちろんである。
（１）実施の形態において、携帯電話機１００がＢＴ用アンテナ２１０を内蔵してブルートゥースの規格に準拠する通信を行うことで外部の機器と通信する構成の例について説明したが、通信用アンテナを内蔵して外部の機器と通信することができれば、必ずしもブルートゥースの規格に準拠する通信に利用するアンテナを内蔵してブルートゥース規格に準拠する通信を行うことで外部の機器と通信する構成である必要はなく、例えば、ＷｉＦｉ（Wireless Fidelity）の規格に準拠する通信に利用するアンテナを内蔵してＷｉＦｉの規格に準拠する通信を行うことで外部の機器と通信する構成であっても構わない。
（２）実施の形態において、内蔵アンテナと拡大アンテナとの切り替えを、ＢＴ用アンテナ２１０に適用した構成の例について説明したが、外部との通信に利用される内蔵するアンテナであれば、必ずしもＢＴ用アンテナに適用する構成に限られず、例えば、通話用アンテナ１４１に適用する構成であっても構わない。
（３）実施の形態において、ＢＴ用アンテナ２１０の電気長は、通信に利用する搬送波の１／４の長さである構成の例について説明したが、通信に利用するアンテナとして効率的に機能することができる電気長であれば、必ずしも通信に利用する搬送波の１／４の長さである必要はなく、例えば、通信に利用する搬送波の３／４の長さ、５／４の長さ、１／２の長さ、３／８の長さ等であっても構わない。
【００５８】
但し、ＢＴ用アンテナ２１０の電気長を、通信に利用する搬送波の１／４の長さとすることで、ＢＴ用アンテナ２１０を比較的コンパクトで比較的受信効率の良いものとすることができる。
さらには、もしも、アンテナを効率的に機能させることを犠牲にすることが許される状況であれば、ＢＴ用アンテナ２１０の電気長は、他の要因（例えば、配置スペース上の制約等）によって決定される長さとなっていることも考えられる。
（４）実施の形態において、拡大アンテナ７００の電気長は、通信に利用する搬送波の３／４の長さである構成の例について説明したが、通信に利用するアンテナとして効率的に機能することができる電気長であれば、必ずしも通信に利用する搬送波の３／４の長さである必要はなく、例えば、通信に利用する搬送波の５／４の長さ、１／２の長さ、３／８の長さ等であっても構わない。
【００５９】
但し、ＢＴ用アンテナ２１０の電気長が、通信に利用する搬送波の１／４の長さである場合には、拡大アンテナ７００の電気長を、通信に利用する搬送波の３／４の長さとすることで、拡大アンテナ７００を比較的コンパクトで比較的受信効率の良いものとすることができる。
さらには、もしも、アンテナを効率的に機能させることを犠牲にすることが許される状況であれば、拡大アンテナ７００の電気長は、他の要因（例えば、配置スペース上の制約等）によって決定される長さとなっていることも考えられる。
（５）実施の形態において、ＢＴ用アンテナ２１０と拡大アンテナ７００とのそれぞれがモノポールアンテナである構成の例について説明したが、通信に利用することができるアンテナであれば、必ずしもモノポールアンテナである構成に限られない。
（６）実施の形態において、携帯電話機１００を充電器５００にセットしている状態の検知を、磁気センサ１２５がマグネット５１２からの磁気を検知することで実現する構成の例について説明したが、携帯電話機１００を充電器５００にセットしている状態を検知することができる機構を備えていれば、必ずしも磁気センサ１２５がマグネット５１２からの磁気を検知することで実現する必要はない。一例として、充電ＩＣ１２３が、陽極受電端子１５０と陰極受電端子１６０との電位差を検知する機能を有しており、陽極受電端子１５０と陰極受電端子１６０との電位差が所定の値より大きいことを検知することで、携帯電話機１００が充電器５００にセットされている状態を検知する構成等が考えられる
（７）実施の形態において、携帯通信端末が携帯電話機である場合の例について説明したが、通信機能を備える携帯端末であれば、必ずしも携帯電話機に限られる必要はなく、例えば、通信機能を有するＰＤＡ（Personal Digital Assistant:携帯情報端末）、通信機能を有するポータブル音楽プレイヤ等であっても構わない。
（８）以下、さらに本発明の一実施形態に係る携帯通信端末の構成及びその変形例と各効果について説明する。
（ａ）本発明の一実施形態に係る携帯通信端末は、充電器にセットして内蔵電池を充電することが可能な携帯通信端末であって、携帯通信端末を充電器にセットした状態において、充電器側の一対の給電端子に対向するように設けられた一対の受電端子と、受電端子から内蔵電池までの間に配線された充電電流供給路と、内蔵電池によって駆動される送受信回路と、前記送受信回路と接続された内蔵アンテナと、を備え、前記内蔵アンテナの一端が一対の受電端子の一つと接続され、充電電流供給路にはフィルタが挿入されていることを特徴とする。
【００６０】
上述の構成を備える本実施形態に係る携帯通信端末は、充電器にセットされると、その充電器内部の配線をアンテナの一部として利用することとなる。このため、携帯通信端末が充電器にセットされる状態において、内蔵アンテナと充電器内部の配線とが、互いに近接する位置関係になったとしても、その充電器内部の配線は、通信における送受信効率を低下させない。
【００６１】
従って、この携帯通信端末によれば、携帯通信端末が充電器にセットされる状態において、内蔵アンテナと充電器内部の配線とが、互いに近接する位置関係になったとしても、従来よりも、通信における送受信効率の低下が起こりにくくなる。
（ｂ）また、自端末が充電器にセットされているか否かを検知する検知回路を備え、前記送受信回路は、前記検知回路が前記自端末の前記充電器へのセットを検知していない場合に、前記内蔵アンテナとの接続部における入力インピーダンスを、携帯通信端末が充電器にセットされていない状態に整合させ、前記検知回路が前記自端末の前記充電器へのセットを検知した場合に、前記内蔵アンテナとの接続部における入力インピーダンスを、携帯通信端末が充電器にセットされている状態に整合させる整合切替回路を有するとしてもよい。
【００６２】
これにより、送受信回路は、携帯通信端末が充電器にセットされている状態と、携帯通信端末が充電器にセットされていない状態とのいずれの状態であっても、外部の機器と効率的に通信することができる。
（ｃ）また、携帯通信端末を充電器にセットしていない状態における、内蔵アンテナの電気長と、携帯通信端末を充電器にセットしている状態における、実質的に拡大される内蔵アンテナの電気長とは、それぞれ、前記送受信回路の送受信周波数帯用の長さであるとしてもよい。
【００６３】
これにより、送受信回路は、携帯通信端末が充電器にセットされている状態と、携帯通信端末が充電器にセットされていない状態とのいずれの状態であっても、外部の機器と効率的に通信することができる。
（ｄ）また、前記内蔵アンテナは、モノポールアンテナであり、携帯通信端末を充電器にセットしていない状態における、内蔵アンテナの電気長は、前記送受信回路の送受信周波数帯における電磁波の波長の略４分の１であり、携帯通信端末を充電器にセットしている状態における、実質的に拡大される内蔵アンテナの電気長は、前記送受信回路の送受信周波数帯における電磁波の波長の略４分の３であるとしてもよい。
【００６４】
これにより、携帯通信端末と充電器とを、それぞれコンパクトなものとすることができる。
【産業上の利用可能性】
【００６５】
本発明は、充電器に接続される携帯通信端末に広く利用することができる。
【符号の説明】
【００６６】
１００  携帯電話機
１２１  システムＬＳＩ
１２２  ＢＴ用ＬＳＩ
１２３  充電ＩＣ
１２４  インダクタ
１２５  磁気センサ
１２６  通話用ＬＳＩ
１３０  電池
１４１  通話用アンテナ
１５０  陽極受電端子
１６０  陰極受電端子
２１０  ＢＴ用アンテナ
３００  プロセッサ
５００  充電器
６３０  突起状陽極給電端子
６４０  突起状陰極給電端子
６５０  電源ＩＣ
６６０  配線
６７０  インダクタ
７００  拡大アンテナ
【図１】
2013030876.tif 000003
【図２】
2013030876.tif 000004
【図３】
2013030876.tif 000005
【図４】
2013030876.tif 000006
【図５】
2013030876.tif 000007
【図６】
2013030876.tif 000008
【図７】
2013030876.tif 000009
【図８】
2013030876.tif 000010
【図９】
2013030876.tif 000011